(57)【要約】本発明に係るアンテナケーブル連結モジュールは、アンテナフィルタ部と連結される接点を形成するアンテナケーブルと、前記アンテナケーブルの外周面に配置され、前記アンテナケーブルの端部とともに前記アンテナフィルタ部に配置された収容口に挿入されて前記アンテナフィルタ部と結合するボディ部と、前記アンテナケーブルと前記ボディ部との間に配置され、長手方向に傾斜を有する傾斜面が形成されて前記アンテナフィルタ部と前記アンテナケーブルとの結合を強化するブッシュとを含む。これによれば、グラウンドコンタクトタイプ（ｇｒｏｕｎｄ  ｃｏｎｔａｃｔ  ｔｙｐｅ）の簡単なアンテナケーブル連結モジュールを構成して、不良発生率が減少した装置を提供することができる。また、作業者が手軽に作業できるように簡単なアンテナケーブル連結モジュールを構成することにより、人件費が減少し、アンテナケーブルの連結時にかかる時間を節約することができる効果がある。【選択図】図２
2019521470.tif 000002
【特許請求の範囲】
【請求項１】
アンテナフィルタ部と連結される接点を形成するアンテナケーブルと、
前記アンテナケーブルの外周面に配置され、前記アンテナケーブルの端部とともに前記アンテナフィルタ部に配置された収容口に挿入されて前記アンテナフィルタ部と結合するボディ部と、
前記アンテナケーブルと前記ボディ部との間に配置され、長手方向に傾斜を有する傾斜面が形成されて前記アンテナフィルタ部と前記アンテナケーブルとの結合を強化するブッシュとを含むアンテナケーブル連結モジュール。
【請求項２】
前記アンテナフィルタ部は、前記アンテナケーブルの心線を収容するアンテナ収容部を含み、前記アンテナ収容部は、
前記アンテナ収容部の収容空間の下側に配置され、前記収容口を通過した前記アンテナケーブルの心線と接点を形成する接触部材を含むことを特徴とする請求項１に記載のアンテナケーブル連結モジュール。
【請求項３】
前記アンテナ収容部は、外部方向に突出した収容結合部材を含み、前記収容結合部材の一側に前記アンテナケーブルの収容される収容口が配置され、前記収容結合部材の他側に前記アンテナケーブルの前記心線が収容される心線収容口が配置されることを特徴とする請求項２に記載のアンテナケーブル連結モジュール。
【請求項４】
前記ボディ部は、
前記収容口に挿入される前段部と、
前記前段部と互いに異なる大きさの外径を有し、前記収容口の外面に配置された収容結合部材と対面配置される後段部とを含むことを特徴とする請求項２に記載のアンテナケーブル連結モジュール。
【請求項５】
前記ブッシュは、前記ボディ部の一部とともに前記収容口の内側に挿入され、前記ブッシュの前段部の少なくとも一部は、前記アンテナ収容部の一部の面に接触してグラウンドを形成することを特徴とする請求項４に記載のアンテナケーブル連結モジュール。
【請求項６】
前記ブッシュは、前記アンテナケーブルの外周面を取り囲むように円筒状に形成され、前記ブッシュの前段部または前記ブッシュの後段部は、一側が開口した少なくとも１つのスリットを含むことを特徴とする請求項５に記載のアンテナケーブル連結モジュール。
【請求項７】
少なくとも１つのスリットを含む前記ブッシュの前段部または前記ブッシュの後段部は、前記ボディ部の圧着によって前記アンテナケーブルを前記収容結合部材の内側に固定することを特徴とする請求項５に記載のアンテナケーブル連結モジュール。
【請求項８】
前記ブッシュの前段部と前記ブッシュの後段部は、互いに異なる傾斜を有することを特徴とする請求項６に記載のアンテナケーブル連結モジュール。
【請求項９】
前記ブッシュの前段部は、前記ブッシュの後段部に対して相対的に大きい外径を有するように突出した接触面を含み、前記接触面は、前記収容結合部材の外面と接触してグラウンドを形成することを特徴とする請求項６に記載のアンテナケーブル連結モジュール。
【請求項１０】
前記接触面は、前記アンテナケーブルの挿入方向に向かって突出した閉曲線状の少なくとも１つの突起部を含み、前記少なくとも１つの突起部は、前記アンテナ収容部の内側に配置された心線収容口周辺の外面と接触して接点面を形成することを特徴とする請求項９に記載のアンテナケーブル連結モジュール。
【請求項１１】
前記アンテナ収容部は、上側が開口し、前記アンテナ収容部内部の前記接触部材の下部には印刷回路基板が配置されることを特徴とする請求項２に記載のアンテナケーブル連結モジュール。
【請求項１２】
前記ボディ部の内径は、前記ブッシュの前段部または前記ブッシュの後段部の外面に対応するように傾斜面または段付面を形成することを特徴とする請求項６に記載のアンテナケーブル連結モジュール。
【請求項１３】
前記ブッシュの前段部または前記ブッシュの後段部の少なくとも１つのスリットは、前記ボディ部の内側面によって加圧されて、前記スリットの大きさが減少しながら、前記アンテナ収容部および前記アンテナケーブルの結合を強化することを特徴とする請求項６に記載のアンテナケーブル連結モジュール。
【請求項１４】
端部が一部被覆されたアンテナケーブルを設ける工程と、
前記アンテナケーブルの外周面に、長手方向に傾斜を有する傾斜面が形成されたブッシュと、前記ブッシュより相対的に大きい外径を有するボディ部とを挿入する工程と、
前記アンテナケーブルの端部に前記ブッシュを結合する工程と、
アンテナフィルタ部の外側に設けられたアンテナ収容部の内部に前記ブッシュが結合されたアンテナケーブルを挿入する工程と、
前記ボディ部が前記ブッシュの外周面を取り囲みながら前記アンテナ収容部の内側に加圧するように、前記アンテナ収容部と前記ボディ部とを結合する工程とを含むアンテナケーブル連結モジュールの作製方法。
【発明の詳細な説明】
【技術分野】
【０００１】
本発明は、ソルダーなく簡単にケーブルを連結できるアンテナケーブル連結モジュールおよびその製造方法に関する。
【背景技術】
【０００２】
一般的に、交換局装置、基地局装置または中継器などの装備または部品には、周波数の高い無線信号のような特定信号を送受信するための複合アンテナケーブルが連結される。最近、通信方式によって基地局などに配置されるアンテナの数が増加するにつれ、ＲＲＨ（Ｒｅｍｏｔｅ  Ｒａｄｉｏ  Ｈｅａｄ）またはそれによる連結装備の数も増加する傾向にある。
【０００３】
また、最近、移動通信システムの基地局や中継器で広く用いられているアンテナは、通信環境の高度化によって多様な機能を有しており、市場の要求も多様化している。
【０００４】
このようなアンテナの内部には多数のＲＦケーブル（ＲＦ  ｃａｂｌｅ）が用いられ、このようなＲＦケーブルのＲＦ特性を実現するために多様な装置に連結されている。このようなケーブルと装置との連結のために、既存の大部分のモジュールはアンテナフィルタとケーブルとの連結がソルダー（ｓｏｌｄｅｒ）により行われている。
【０００５】
しかし、このようなソルダー方式によるアンテナ連結方式は、長期間熟練した作業者が手作業で進行するため、通常の作業者が工程を行いにくく、ソルダー工程の特性上、不良発生率が高い問題点を有している。
【０００６】
また、既存の方法による作業時、熟練した作業者に必要な人件費が増加、およびソルダー工程のためにかかる時間が増加する問題点もあった。
【０００７】
図１は、従来技術に係る、フランジケーブルアセンブリ（ｆｌａｎｇｅ  ｃａｂｌｅ  ａｓｓｅｍｂｌｙ）を示す斜視図である。図１に示されるように、アンテナフィルタとケーブルとの連結は、前記フランジ１に突出配置された連結コネクタ２にアンテナケーブルＣを結合してソルダリング（ｓｏｌｄｅｒｉｎｇ）する方式でアンテナモジュールを作製してきた。
【０００８】
これによる作製方式で実現されたフランジケーブルアセンブリは、アンテナケーブルが連結される部位である連結コネクタ２が外部に突出配置されるため、他の装置によるスクラッチなどの損傷が発生してモジュール自体の故障をもたらすことがあった。
【０００９】
また、前記既存のフランジケーブルアセンブリは、フランジ１の連結コネクタ２と連結されるアンテナケーブルＣの端部の大部分に対するソルダリングが必要であり、前記ソルダリングは作業者の手作業によって進行するので、作業者の熟練度に大きく左右されて製品の不良率が多く発生する問題点があった。
【００１０】
また、ソルダリングのためのハンダがアンテナ装備の特性上それぞれの連結構造ごとに多量使用される場合には、全体アンテナ装備の重量を増加させることがあり、大部分高い位置に設けられる製品の特性上、前記アンテナ装備を固定するためにかかる部品費が追加的に発生して製造費用および時間が大きく増加する問題点があった。
【発明の概要】
【発明が解決しようとする課題】
【００１１】
本発明は、グラウンドコンタクトタイプ（ｇｒｏｕｎｄ  ｃｏｎｔａｃｔ  ｔｙｐｅ）の簡単なアンテナケーブル連結モジュールを構成して、不良発生率が減少した装置を実現しようとする。
【００１２】
本発明は、通常の作業者が手軽に作業できるように簡単なアンテナケーブル連結モジュールを構成することにより、人件費を減少させ、時間を節約することができる装置を実現しようとする。
【００１３】
本発明は、最小限のソルダーだけでアンテナケーブルを連結可能にして、部品費を節減し、製品の重量を減少させることができる装置を実現しようとする。
【課題を解決するための手段】
【００１４】
本発明の多様な実施形態に係るアンテナケーブル連結モジュールは、アンテナフィルタ部と連結される接点を形成するアンテナケーブルと、前記アンテナケーブルの外周面に配置され、前記アンテナケーブルの端部とともに前記アンテナフィルタ部に配置された収容口に挿入されて前記アンテナフィルタ部と結合するボディ部と、前記アンテナケーブルと前記ボディ部との間に配置され、長手方向に傾斜を有する傾斜面が形成されて前記アンテナフィルタ部と前記アンテナケーブルとの結合を強化するブッシュとを含むことができる。
【００１５】
本発明の一実施形態によれば、前記アンテナフィルタ部は、前記アンテナケーブルの心線を収容するアンテナ収容部を含み、前記アンテナ収容部は、前記アンテナ収容部の収容空間の下側に配置され、前記収容口を通過した前記アンテナケーブルの心線と接点を形成する接触部材を含むことができる。
【００１６】
本発明の一実施形態によれば、前記アンテナ収容部は、外部方向に突出した収容結合部材を含み、前記収容結合部材の一側に前記アンテナケーブルの収容される前記収容口が配置され、前記収容結合部材の他側に前記アンテナケーブルの前記心線の収容される心線収容口を配置することができる。
【００１７】
本発明の一実施形態によれば、前記ボディ部は、前記収容口に挿入される前段部と、前記前段部と互いに異なる大きさの外径を有し、前記収容口の外面に配置された収容結合部材と対面配置される後段部とを含むことができる。
【００１８】
本発明の一実施形態によれば、前記ブッシュは、前記ボディ部の一部とともに前記収容口の内側に挿入され、前記ブッシュの前段部の少なくとも一部は、前記アンテナ収容部の一部の面に接触してグラウンドを形成することができる。
【００１９】
本発明の一実施形態によれば、前記ブッシュは、前記アンテナケーブルの外周面を取り囲むように円筒状に形成され、前記ブッシュの前段部またはブッシュの後段部は、一側が開口した少なくとも１つのスリットを含むことができる。
【００２０】
本発明の一実施形態によれば、少なくとも１つのスリットを含む前記ブッシュの前段部またはブッシュの後段部は、前記ボディ部の圧着によって前記アンテナケーブルを前記収容結合部材の内側に固定することができる。
【００２１】
本発明の一実施形態によれば、前記ブッシュの前段部と前記ブッシュの後段部は、互いに異なる傾斜を有することができる。
【００２２】
本発明の一実施形態によれば、前記ブッシュの前段部は、前記ブッシュの後段部に対して相対的に大きい外径を有するように突出した接触面を含み、前記接触面は、前記収容結合部材の外面と接触してグラウンドを形成することができる。
【００２３】
本発明の一実施形態によれば、前記接触面は、前記アンテナケーブルの挿入方向に向かって突出した閉曲線状の少なくとも１つの突起部を含み、前記少なくとも１つの突起部は、前記アンテナ収容部の内側に配置された心線収容口周辺の外面と接触して接点面を形成することができる。
【００２４】
本発明の一実施形態によれば、前記アンテナ収容部は、上側が開口し、前記アンテナ収容部内部の前記接触部材の下部には印刷回路基板が配置される。
【００２５】
本発明の一実施形態によれば、前記ボディ部の内径は、前記ブッシュの前段部または前記ブッシュの後段部の外面に対応するように傾斜面または段付面を形成することができる。
【００２６】
本発明の一実施形態によれば、前記ブッシュの前段部または前記ブッシュの後段部の少なくとも１つのスリットは、前記ボディ部の内側面によって加圧されて、前記スリットの大きさが減少しながら、前記アンテナ収容部および前記アンテナケーブルの結合を強化することができる。
【００２７】
本発明の多様な実施形態に係るアンテナケーブル連結モジュールの作製方法は、端部が一部被覆されたアンテナケーブルを設ける工程と、前記アンテナケーブルの外周面に、長手方向に傾斜を有する傾斜面が形成されたブッシュと、前記ブッシュより相対的に大きい外径を有するボディ部とを挿入する工程と、前記アンテナケーブルの端部に前記ブッシュを結合する工程と、アンテナフィルタ部の外側に設けられたアンテナ収容部の内部に前記ブッシュが結合されたアンテナケーブルを挿入する工程と、前記ボディ部が前記ブッシュの外周面を取り囲みながら前記アンテナ収容部の内側に加圧するように、前記アンテナ収容部と前記ボディ部とを結合する工程とを含むことができる。
【００２８】
本発明の一実施形態によれば、前記ブッシュは、前記ケーブルの外周面を取り囲むように円筒状に形成され、前記ブッシュの前段部またはブッシュの後段部は、一側が開口した少なくとも１つのスリットを含むことができる。
【００２９】
本発明の一実施形態によれば、前記アンテナケーブルの端部に前記ブッシュを結合する工程は、前記ブッシュの前段部または前記ブッシュの後段部の前記少なくとも１つのスリットが前記ボディ部の内側面によって加圧されて、前記スリットの大きさが減少しながら、前記アンテナ収容部および前記アンテナケーブルの結合を強化する工程を含むことができる。
【００３０】
本発明の一実施形態によれば、前記アンテナ収容部の内部に前記ブッシュが結合されたアンテナケーブルを挿入する工程は、前記ブッシュの前段部の突出した接触面が前記アンテナ収容部の一側に配置された収容結合部材の外面と接触してグラウンドを形成する工程を含むことができる。
【００３１】
本発明の一実施形態によれば、前記アンテナ収容部と前記ボディ部とを結合する工程は、前記ボディ部の前段部は、前記アンテナ収容部に配置された収容口に挿入され、前記前段部と互いに異なる大きさの外径を有する前記ボディ部の後段部は、前記収容口の外面に配置された収容結合部材と対面配置される。
【００３２】
本発明の一実施形態によれば、前記アンテナ収容部の収容空間の下側に配置された接触部材は、前記収容空間に挿入された前記アンテナケーブルの心線と接点を形成する工程を含むことができる。
【発明の効果】
【００３３】
本発明の多様な実施形態によれば、グラウンドコンタクトタイプ（ｇｒｏｕｎｄ  ｃｏｎｔａｃｔ  ｔｙｐｅ）の簡単なアンテナケーブル連結モジュールを構成して、不良発生率を最小化することができる効果がある。
【００３４】
また、本発明の一実施形態によれば、通常の作業者が手軽に作業できるように簡単なアンテナケーブル連結モジュールを構成して、人件費が減少し、アンテナケーブルの連結時にかかる時間を節約することができる効果がある。
【００３５】
さらに、本発明の一実施形態によれば、最小限のソルダーだけでアンテナケーブルを連結可能なため、ソルダーで消耗する部品費を節減し、製品の重量を減少させる装置を提供することができる。
【図面の簡単な説明】
【００３６】
【図１】従来のアンテナケーブル連結モジュールの構成を示す斜視図である。
【図２】本発明の多様な実施形態に係る、アンテナケーブル連結モジュールの構成を示す分解斜視図である。
【図３】本発明の多様な実施形態に係る、アンテナケーブル連結モジュールのアンテナケーブルおよびアンテナケーブルとフィルタ部とを連結する連結構成要素を示す斜視図である。
【図４】本発明の多様な実施形態に係る、アンテナケーブルとアンテナフィルタ部とが結合した形状を示す断面図である。
【図５】本発明の多様な実施形態に係る、アンテナケーブルとアンテナフィルタ部とが結合した斜視図である。
【図６】本発明の多様な実施形態に係る、アンテナケーブル連結モジュールの連結過程を示す分解斜視図である。
【図７】本発明の多様な実施形態に係る、アンテナケーブル連結モジュールのアンテナケーブルおよびアンテナケーブルとアンテナフィルタ部とを連結する連結構成要素を示す斜視図である。
【図８】本発明の多様な実施形態に係る、アンテナケーブル連結モジュールのブッシュを拡大して示す斜視図である。
【図９】本発明の多様な実施形態に係る、アンテナケーブルとアンテナフィルタ部とが結合した形状を示す断面図である。
【図１０】本発明の多様な実施形態に係る、アンテナケーブルとアンテナフィルタ部とが結合した斜視図である。
【図１１】本発明の多様な実施形態に係るアンテナケーブル連結モジュールの製造方法について示すフロー図である。
【発明を実施するための形態】
【００３７】
以下、本発明の多様な実施形態が添付した図面を参照して記載される。しかし、これは、本発明に記載の技術を特定の実施形態について限定しようとするものではなく、本発明の実施形態の多様な変更（ｍｏｄｉｆｉｃａｔｉｏｎｓ）、均等物（ｅｑｕｉｖａｌｅｎｔｓ）、および／または代替物（ａｌｔｅｒｎａｔｉｖｅｓ）を含むことが理解されなければならない。図面の説明に関連し、類似の構成要素については類似の参照符号が使われる。
【００３８】
本発明で使われた用語は、単に特定の実施形態を説明するために使われたもので、他の実施形態の範囲を限定しようとする意図ではない。単数の表現は、文脈上明らかに異なって意味しない限り、複数の表現を含むことができる。技術的または科学的な用語を含む、ここで使われる用語は、本発明に記載の技術分野における通常の知識を有する者によって一般的に理解されるのと同じ意味を有することができる。本発明に使われた用語のうち一般的な辞書に定義された用語は、関連技術の文脈上有する意味と同一または類似の意味で解釈され、本発明で明らかに定義されない限り、理想的または過度に形式的な意味で解釈されない。場合によって、本発明で定義された用語であっても、本発明の実施形態を排除するように解釈されない。
【００３９】
以下、添付図面を参照して、多様な実施形態に係るアンテナフィルタとケーブルとを連結するアンテナケーブル連結モジュールおよびその作製方法が説明される。本発明において、作業者という用語は、アンテナケーブル連結モジュールを設置する人またはアンテナケーブル連結モジュールを設置する装置（例：人工知能電子装置）を指し示すことができる。
【００４０】
図２は、本発明の一実施形態に係る、アンテナケーブル連結モジュール１０の連結過程を示す分解斜視図である。
【００４１】
図２に示されるように、前記アンテナケーブル連結モジュール１０は、特定波長帯の周波数を選別して通過させたり、全体的に周波数の量を調節するアンテナフィルタ部３００と、前記アンテナフィルタ部３００に連結されて信号を伝達するアンテナケーブルＣとを含んで構成される。前記アンテナケーブルＣは、複数の電力線ユニットおよび複数の光ユニットを含んで構成される。例えば、前記複合アンテナケーブルＣは、交換局装置、基地局装置または中継器などの装備部品に提供される、周波数の高い無線信号のような特定信号を送受信するためのＲＦケーブル（ＲＦ  ｃａｂｌｅ）を用いることができる。また、前記ＲＦケーブルは、用途および信号の周波数によって複数のケーブルに分岐が必要であり、連結部品の構造的特徴に合わせて作製されたコネクタを用いることができる。
【００４２】
本発明の一実施形態に係る、基地局装備、例えば、ＲＲＨ（Ｒｅｍｏｔｅ  Ｒａｄｉｏ  Ｈｅａｄ）またはＲＲＡ（Ｒｅｍｏｔｅ  Ｒａｄｉｏ  Ａｎｔｅｎｎａ）で提供するアンテナケーブルＣは、複数の分配されたケーブルに分岐するためにケーブル分配装置（図示せず）を介して連結される。
【００４３】
さらに図２を再び参照すれば、アンテナフィルタ部３００は、特定の周波数帯域を通過させるフィルタが配置されたフィルタ本体３１０と、前記フィルタ本体３１０に向かってアンテナケーブルＣから送信／受信された信号を提供するように、アンテナケーブルＣを収容するアンテナ収容部３３０とを含むことができる。
【００４４】
本発明の一実施形態に係る、アンテナ収容部３３０は、前記フィルタ本体３１０の外側に所定の収容空間３３１を形成して、外部のアンテナケーブルＣの少なくとも一部を収容するように配置され、少なくとも１つから構成される。
【００４５】
本発明の一実施形態に係る、アンテナ収容部３３０は、フィルタ本体３１０の外側に上面が開口するように配置される。また、一例として、アンテナ収容部３３０は、アンテナケーブルＣの心線Ｃ１が通過可能な収容口３３３と、前記アンテナ収容部３３０の外側に突出してアンテナケーブルＣを結合可能な収容結合部材３３５とを含むことができる。さらに、アンテナ収容部３３０内部の収容空間３３１の下側に配置され、アンテナケーブルＣの心線と接地される接触部材３３７を含むことができる。
【００４６】
本発明の一実施形態に係る、前記収容口３３３は、収容空間３３１と外部を貫通するように、前記収容結合部材３３５の内部に開口して形成される。
【００４７】
本発明の一実施形態に係る、アンテナ収容部３３０は、それぞれのアンテナケーブルＣの一部が収容され結合できるように、フィルタ本体３１０に複数個設けられる。前記アンテナ収容部３３０は、上部が開口したハウジング形態で、ＰＡＡＳ、ＰＰＳ（Ｐｏｌｙｐｈｅｎｙｌｅｎｅ  Ｓｕｌｆｉｄｅ）、ＰＰＡ（Ｐｏｌｙｐｈｔｈａｌ  Ａｍｉｄｅ）のいずれか１つの材質からなる射出物であってもよい。また、前記アンテナ収容部３３０は、亜鉛ダイキャスティングまたはアルミニウムダイキャスティングで作製されてもよく、金属物を加工して作製されてもよい。さらに、前記アンテナ収容部３３０の外周面は、高塩水に強い材質で塗布される。例えば、前記外周面は、高塩水に対して腐食などに耐えられる材質で塗布またはメッキすることにより、前記アンテナ収容部を外部環境から保護することができる。
【００４８】
本発明の一実施形態に係る、アンテナ収容部３３０の開口した上部から眺める時、アンテナ収容部３３０の上面には、アンテナケーブルＣの心線Ｃ１と接地されて接地面を形成できるように、少なくとも１つのラインに配置された接触部材３３７を配置することができる。例えば、前記アンテナ収容部３３０内部の接触部材３３７の下部には印刷回路基板Ｐが配置され、第１方向（アンテナケーブルの挿入方向）に引き込まれたアンテナケーブルＣの心線Ｃ１の方向と平行なラインを形成することができる。
【００４９】
本発明の一実施形態に係る、前記アンテナ収容部３３０の上面は開口しているため、前記接触部材３３７の一面に配置された心線Ｃ１は、ハンダ付けなどにより作業者が手軽にアンテナケーブルＣとフィルタ領域とを電気的に接続することができる。
【００５０】
さらに図２を再び参照すれば、本発明に係るアンテナケーブル連結モジュール１０は、前記アンテナケーブルＣと前記アンテナフィルタ部３００とを強固に結合するために、前記アンテナケーブルＣの外周面に配置されたボディ部１１０およびブッシュ１３０を含むことができる。
【００５１】
以下、図３および図４を参照して、ボディ部１１０およびブッシュ１３０を詳細に説明する。
【００５２】
図３は、本発明の一実施形態に係る、アンテナケーブル連結モジュール１０のアンテナケーブルＣおよびアンテナケーブルＣとフィルタ部３００とを連結する連結構成要素１１０、１３０を示す斜視図である。
【００５３】
図３に示されるように、アンテナケーブルＣは、同軸（ｃｏａｘｉａｌ）ケーブルであって、接地に連結された遮蔽シールド（ｓｈｉｅｌｄ）を用いて電磁波干渉を防止する構造を有している。例えば、アンテナケーブルＣは、中心に心線Ｃ１のような内部導体が配置され、前記心線Ｃ１の外周面に沿って、絶縁体および外部導体Ｃ２が配置され、前記外部導体Ｃ２の外周面に沿って、被覆Ｃ３が取り囲むように配置される。
【００５４】
本発明の一実施形態に係る、前記アンテナケーブルＣと前記フィルタ部３００とを連結する連結構成要素は、ボディ部１１０およびブッシュ１３０を含むことができる。
【００５５】
本発明の一実施形態に係る、前記ボディ部１１０は、アンテナケーブルＣが挿入されて通過可能なホールを有する円筒状に構成され、互いに異なる大きさの外径厚さを有する前段部１１１および後段部１１３を形成することができる。前記ボディ部１１０の前段部１１１は、実質的に収容口３３３に挿入されて結合される領域であってもよいし、前記ボディ部１１０の後段部１１３は、前記収容口３３３と同一の大きさを有する外周面を備え、アンテナケーブルＣとアンテナ収容部３３０とが結合時に互いに対面配置される領域であってもよい。
【００５６】
本発明の一実施形態に係る、前記ボディ部１１０の前段部１１１は、前記アンテナ収容部３３０の収容口３３３に挿入されて脱着結合で連結されたり、前段部１１１の外面にねじ線が備えられ、収容口３３３の内側に配置されたねじ線によって雌雄結合が行われる。ただし、これは、結合方式の一例に過ぎず、ボディ部１１０の前段部１１１は、前記収容口３３３と互いに結合可能な多様な形状を有することができる。また、前記ボディ部１１０は、亜鉛ダイキャスティングまたはアルミニウムダイキャスティングで作製されてもよく、金属物を加工して作製されてもよい。
【００５７】
本発明の一実施形態に係る、前記ボディ部１１０の前段部１１１は、後述するブッシュ１３０の外周面に取り囲むように配置され、後段部１１３の一部は、ブッシュ１３０またはアンテナケーブルＣの被覆Ｃ３の外面に取り囲むように配置される。
【００５８】
本発明の一実施形態に係る、前記ブッシュ１３０は、アンテナケーブルＣの端部が挿入して通過可能なホールを有する円筒状に構成され、互いに異なる傾斜を有する前段部１３１および後段部１３３を形成することができる。例えば、前記ブッシュ１３０の前段部１３１および後段部１３３は、実質的に収容口３３３の内側に挿入されて結合を強化する領域であり、前記アンテナケーブルＣおよび前記ボディ部１１０の間に配置される。
【００５９】
本発明の一実施形態に係る、前記ブッシュ１３０の前段部１３１は、第１方向（アンテナケーブルの挿入方向）に開口するように配置された少なくとも１つのスリット１３５を含むことができる。前記スリット１３５は、アンテナケーブルＣの外部導体Ｃ２の外面を取り囲むように、所定の間隔によって複数個が形成される。また、一例により、前記ボディ部１１０が収容口３３３に挿入されて結合される圧着過程で前記それぞれのスリット１３５の内部間隔が減少しながら、前記間隔を元の状態に回復しようとするテンションにより、アンテナケーブルＣとアンテナ収容部３３０との結合を強化することができる。
【００６０】
本発明の一実施形態に係る、前記ブッシュ１３０の後段部１３３は、前段部１３１とは異なって所定の傾斜を有する傾斜面１３７を形成することができる。前記傾斜面１３７を含む後段部１３３によって、アンテナケーブルＣとアンテナ収容部３３０と結合時に発生する圧着過程でブッシュ１３０がアンテナケーブルＣの内側（被覆の配置された方向）に押されず、外部導体Ｃ２の外面に固定された状態で圧着が行われる。また、前記ブッシュ１３０は、亜鉛ダイキャスティングまたはアルミニウムダイキャスティングで作製されてもよく、金属物を加工して作製されてもよい。ここで、前記ボディ部１１０の内径は、前記ブッシュ１３０の前段部１３１または前記ブッシュ１３０の後段部１３３の外面に対応するように傾斜面または段付面を形成することができる。
【００６１】
本発明の一実施形態に係る、前記ボディ部１１０の前段部１１１の外側には溝（図示せず）が配置され、前記溝にはシーリング部材が配置される。したがって、前記ボディ部１１０の前段部１１１が前記アンテナ収容部３３０の収容口３３３の内部と挿入結合することにより、外部流体がアンテナケーブルの内部またはアンテナ収容部に侵入するのを防止する防水機能を提供することができる。
【００６２】
図４は、本発明の多様な実施形態に係る、アンテナケーブルＣとアンテナフィルタ部３００とが結合した形状を示す断面図である。
【００６３】
図４に示されるように、収容口３３３の内側にアンテナケーブルＣが挿入され、前記アンテナケーブルＣを中心に外側方向に向かってブッシュ１３０、ボディ部１１０および収容結合部材３３５が配置される。
【００６４】
本発明の一実施形態に係る、収容結合部材３３５の内部をみると、アンテナケーブルＣの心線Ｃ１のみアンテナ収容部３３０の内部に通過できるように、内側に収容口より大きさの小さい心線収容口３３９を含むことができる。したがって、実質的にアンテナ収容部３３０の内部にはアンテナケーブルＣの心線Ｃ１のみが配置される。
【００６５】
本発明の一実施形態に係る、アンテナケーブルＣの外部導体Ｃ２の外面にはブッシュ１３０が配置される。前述のように、ブッシュ１３０の前段部１３１は、少なくとも１つのスリット１３５が備えられ、外部導体Ｃ２の端部と収容結合部材３３５との結合を強化することができ、前記ブッシュ１３０の後段部１３３は、傾斜面１３７が配置されて、前記結合が強化されることにより、ブッシュ１３０が外部導体Ｃ２の端部から被覆方向に押されるのを防止することができる。
【００６６】
本発明の一実施形態に係る、ブッシュ１３０の前段部１３１は、前記心線収容口３３９周辺の収容結合部材３３５の一部の面と直接的に接触してグラウンドを形成することができる。前記ブッシュ１３０を押すボディ部１１０の圧入によって形成されたグラウンドは、ハンダ付け方式を使用しなくてもブッシュ１３０の前面がアンテナ収容部３３０に密着配置されて電気的接続の結合を強化することができる。
【００６７】
本発明の一実施形態に係る、ブッシュ１３０またはアンテナケーブルＣの外部導体Ｃ２の外面にはボディ部１１０が配置される。ボディ部１１０の前段部１１１は、収容口３３３の内側端部まで挿入されてブッシュ１３０を圧着しながらアンテナケーブルＣとアンテナ収容部３３０との結合を強化し、ボディ部１１０の後段部１１３は、アンテナ収容部３３０の外側に収容口３３３と対面配置され、アンテナケーブルＣの被覆を取り囲むように配置される。前記ボディ部１１０は、アンテナケーブルＣの互いに異なる外径を有する外部導体Ｃ２（またはブッシュ１３０の外周面）と被覆Ｃ３にそれぞれ対応する形状で実現され、アンテナケーブルＣ全体を固定し、硬い結束を補助することができる。
【００６８】
図５は、本発明の多様な実施形態に係る、アンテナケーブルＣとアンテナフィルタ部３００とが結合した斜視図である。
【００６９】
図５に示されるように、アンテナケーブルＣがアンテナ収容部３３０に挿入されて結合すると、アンテナケーブルＣの心線Ｃ１は収容空間３３１内に配置され、収容空間３３１の上面に形成された接触部材３３７と接触して電気的接点を形成することができる。また、ブッシュ１３０は、ボディ部１１０の圧着によってアンテナ収容部３３０と強化された接触により優れたグラウンドを形成することができる。
【００７０】
本発明の一実施形態に係る、アンテナケーブル連結モジュール１０は、アンテナケーブルＣとアンテナ収容部３３０上の１つとの連結のみを示しているが、フィルタ本体３１０の外面に複数のアンテナ収容部３３０を形成して、それに対応する複数のアンテナケーブルＣの連結により多様な帯域帯の信号をフィルタに送受信できることは当然である。
【００７１】
従来技術とは異なり、本発明に係るアンテナケーブル連結モジュール１０は、アンテナケーブルＣの簡単な連結作業によりアンテナフィルタと連結可能なアンテナ収容部３３０を備え、前記アンテナケーブルＣの外面にアンテナ収容部３３０との結合を強化可能な結合要素を含んで実現した。これによって、通常の作業者も手軽にアンテナにケーブルを連結可能で生産性を向上させることができ、ハンダ付けの使用が著しく減少することにより、製品費を節減し、不良発生率を減少させることができる効果がある。
【００７２】
図６は、本発明の他の実施形態に係る、アンテナケーブル連結モジュール１０の連結過程を示す分解斜視図である。
【００７３】
図６に示されるように、前記アンテナケーブル連結モジュール１０は、特定波長帯の周波数を選別して通過させたり、全体的に周波数の量を調節するアンテナフィルタ部３００と、前記アンテナフィルタ部３００に連結されて信号を伝達するアンテナケーブルＣとを含んで構成される。前記アンテナケーブルＣは、複数の電力線ユニットおよび複数の光ユニットを含んで構成される。
【００７４】
本発明の一実施形態に係る、アンテナフィルタ部３００は、特定の周波数帯域を通過させるフィルタが配置されたフィルタ本体３１０と、前記フィルタ本体３１０に向かってアンテナケーブルＣから送信／受信された信号を提供するように、アンテナケーブルＣを収容するアンテナ収容部３３０とを含むことができる。
【００７５】
本発明の一実施形態に係る、アンテナ収容部３３０は、前記フィルタ本体３１０の外側に所定の収容空間３３１を形成して、外部のアンテナケーブルＣの少なくとも一部を収容するように配置され、少なくとも１つから構成される。
【００７６】
本発明の一実施形態に係る、アンテナ収容部３３０は、フィルタ本体３１０の外側に上面が開口するように配置される。また、一例として、アンテナ収容部３３０は、アンテナケーブルＣの心線Ｃ１が通過可能な収容口３３３と、前記アンテナ収容部３３０の外側に突出してアンテナケーブルＣを結合可能な収容結合部材３３５とを含むことができる。さらに、アンテナ収容部３３０内部の収容空間３３１の下側に配置され、アンテナケーブルＣの心線と接地される接触部材３３７を含むことができる。
【００７７】
以下、前記アンテナケーブルＣのアンテナ収容部３３０は、前述した実施形態と同一であるので、本実施形態では、前述した実施形態と重複する内容に関する説明を省略する。
【００７８】
本発明に係るアンテナケーブル連結モジュール１０は、前記アンテナケーブルＣと前記アンテナフィルタ部３００とを強固に結合するために、前記アンテナケーブルＣの外周面に配置されたボディ部２１０およびブッシュ２３０を含むことができる。
【００７９】
以下、図７〜図９を参照して、ボディ部２１０およびブッシュ２３０を詳細に説明する。
【００８０】
図７は、本発明の多様な実施形態に係る、アンテナケーブル連結モジュール１０のアンテナケーブルＣおよびアンテナケーブルＣとアンテナフィルタ部３００とを連結する連結構成要素２１０、２３０を示す斜視図である。図８は、本発明の多様な実施形態に係る、アンテナケーブル連結モジュール１０のブッシュ２３０を拡大して示す斜視図である。
【００８１】
図７および図８に示されるように、アンテナケーブルＣは、同軸（ｃｏａｘｉａｌ）ケーブルであって、接地に連結された遮蔽シールド（ｓｈｉｅｌｄ）を用いて電磁波干渉を防止する構造を有している。例えば、アンテナケーブルＣは、中心に心線Ｃ１のような内部導体が配置され、前記心線Ｃ１の外周面に沿って、絶縁体および外部導体Ｃ２が配置され、前記外部導体Ｃ２の外周面に沿って、被覆Ｃ３が取り囲むように配置される。
【００８２】
本発明の一実施形態に係る、前記アンテナケーブルＣと前記フィルタ部３００とを連結する連結構成要素は、ボディ部２１０およびブッシュ２３０を含むことができる。
【００８３】
本発明の一実施形態に係る、前記ボディ部２１０は、アンテナケーブルＣが挿入されて通過可能なホールを有する円筒状に構成され、互いに異なる大きさの外径厚さを有する前段部２１１および後段部２１３を形成することができる。前記ボディ部２１０の前段部２１１は、実質的に収容口３３３に挿入されて結合される領域であってもよいし、前記ボディ部２１０の後段部２１３は、前記収容口３３３と同一の大きさを有する外周面を備え、アンテナケーブルＣとアンテナ収容部３３０とが結合時に互いに対面配置される領域であってもよい。
【００８４】
本発明の一実施形態に係る、前記ボディ部２１０の前段部２１１は、前記アンテナ収容部３３０の収容口３３３に挿入されて脱着結合で連結されたり、前段部２１１の外面にねじ線が備えられ、収容口３３３の内側に配置されたねじ線によって雌雄結合が行われる。ただし、これは、結合方式の一例に過ぎず、ボディ部２１０の前段部２１１は、前記収容口３３３と互いに結合可能な多様な形状を有することができる。また、前記ボディ部２１０は、亜鉛ダイキャスティングまたはアルミニウムダイキャスティングで作製されてもよく、金属物を加工して作製されてもよい。
【００８５】
本発明の一実施形態に係る、前記ボディ部２１０の前段部２１１は、後述するブッシュ２３０の外周面に取り囲むように配置され、後段部２１３の一部は、ブッシュ２３０またはアンテナケーブルＣの被覆Ｃ３の外面に取り囲むように配置される。
【００８６】
本発明の一実施形態に係る、前記ブッシュ２３０は、アンテナケーブルＣの端部が挿入して通過可能なホールを有する円筒状に構成され、互いに異なる傾斜を有する前段部２３１および後段部２３３を形成することができる。例えば、前記ブッシュ２３０の前段部２３１および後段部２３３は、実質的に収容口３３３の内側に挿入されて結合を強化する領域であり、前記アンテナケーブルＣおよび前記ボディ部２１０の間に配置される。
【００８７】
本発明の一実施形態に係る、前記ブッシュ２３０の前段部２３１は、後段部２３３に比べて相対的に大きい外径を有する閉鎖された曲線を有するように形成される。例えば、前段部２３１は、リング状の構造を有し、前面部（収容結合部材と当接する領域）には、前記ブッシュ２３０の前段部２３１がアンテナ収容部３３０の内側に結合する場合に、グラウンドを形成可能な接触面２３８を配置することができる。
【００８８】
本発明に係るブッシュ２３０は、前述した実施形態（図１）のブッシュ１３０とは異なり、相対的により広い面積を含むリング状の接触面２３８を備え、既存よりグラウンド接触を強化して本発明の電気的連結性能を高く実現することができる。
【００８９】
本発明の一実施形態に係る、前記ブッシュ２３０の前段部２３１の接触面２３８上には、前記接触面２３８から第１方向（アンテナケーブルの挿入方向）に突出した突起部２３９を形成して追加的に配置することができる。
【００９０】
具体的には、前記接触面２３８は、第１方向（アンテナケーブルの挿入方向）に向かって突出した閉曲線状の少なくとも１つの突起部２３９を含み、前記突起部２３９は、アンテナ収容部３３０の内側に配置された心線収容口３３９周辺の外面と接触して接点面を形成する。図８に示された突起部２３９は、リング状に備えられ、アンテナ収容部３３０の外面と密接に接触する力を強化することができる効果がある。
【００９１】
ブッシュ２３０の後段部２３３は、第１方向（アンテナケーブルの挿入方向）と反対方向に開口するように配置された少なくとも１つのスリット２３５を含むことができる。前記スリット２３５は、アンテナケーブルＣの外部導体Ｃ２の外面を取り囲むように、所定の間隔によって複数個が形成される。また、一例により、前記ボディ部２１０が収容口３３３に挿入されて結合される圧着過程で前記少なくともそれぞれのスリット２３５の内部間隔が減少しながら、前記間隔を元の状態に回復しようとするテンションにより、アンテナケーブルＣとアンテナ収容部３３０との結合を強化することができる。
【００９２】
本発明の一実施形態に係る、前記ブッシュ２３０の後段部２３３は、前段部２３１とは異なって所定の傾斜を有する傾斜面２３７を形成することができる。前記傾斜面２３７を含む後段部２３３によって、アンテナケーブルＣとアンテナ収容部３３０と結合時に発生する圧着過程でブッシュ２３０がアンテナケーブルＣの内側（被覆の配置された方向）に押されず、外部導体Ｃ２の外面に固定された状態で圧着が行われる。また、前記ブッシュ２３０は、亜鉛ダイキャスティングまたはアルミニウムダイキャスティングで作製されてもよく、金属物を加工して作製されてもよい。
【００９３】
本発明の一実施形態に係る、前記ボディ部２１０の前段部２１１の外側には溝（図示せず）が配置され、溝にシーリング部材が配置される。したがって、前記ボディ部２１０の前段部２１１が前記アンテナ収容部３３０の収容口３３３の内部と挿入結合することにより、外部流体がアンテナケーブルの内部またはアンテナ収容部に侵入するのを防止する防水機能を提供することができる。
【００９４】
図９は、本発明の多様な実施形態に係る、アンテナケーブルＣとアンテナフィルタ部３００とが結合した形状を示す断面図である。
【００９５】
図９に示されるように、収容口３３３の内側にアンテナケーブルＣが挿入され、前記アンテナケーブルＣを中心に外側方向に向かってブッシュ２３０、ボディ部２１０および収容結合部材３３５が配置される。
【００９６】
本発明の一実施形態に係る、収容結合部材３３５の内部をみると、アンテナケーブルＣの心線Ｃ１のみアンテナ収容部３３０の内部に通過できるように、内側に収容口より大きさの小さい心線収容口３３９を含むことができる。したがって、実質的にアンテナ収容部３３０の内部にはアンテナケーブルＣの心線Ｃ１のみが配置される。
【００９７】
本発明の一実施形態に係る、アンテナケーブルＣの外部導体Ｃ２の外面にはブッシュ２３０が配置される。前述のように、ブッシュ２３０の後段部２３３は、少なくとも１つのスリット２３５が備えられ、外部導体Ｃ２の端部と収容結合部材３３５との結合を強化することができ、前記ブッシュ２３０の後段部２３３は、傾斜面２３７が配置されて、前記結合が強化されることにより、ブッシュ２３０が外部導体Ｃ２の端部から押されるのを防止することができる。
【００９８】
本発明の一実施形態に係る、ブッシュ２３０の前段部２３１は、前記心線収容口３３９周辺の収容結合部材３３５の一部の面と直接的に接触してグラウンドを形成することができる。前記収容結合部材３３５の一部の面と直接的に接触するブッシュ２３０の前面には、第１方向（アンテナケーブルの挿入方向）に向かって突出したリング状の接触面２３８が配置される。前記接触面２３８は、ブッシュ２３０の他の部分に比べて相対的に広く広げられた状態で実現して、実質的に収容結合部材３３５の一部の面に接触する領域を既存の実施形態（図１）に比べて拡張することができる。前記相対的により拡張された領域から構成された接触面２３８を備え、既存よりグラウンド接触を強化して本発明の電気的連結性能を高く実現することができる。
【００９９】
本発明の一実施形態に係る、前記ブッシュ２３０の前段部２３１の接触面２３８の正面には、前記接触面２３８から第１方向に突出した突起部２３９を形成して追加的に配置することができる。前記突起部２３９は、リング状に備えられ、アンテナ収容部３３０の外面と接触密着する力を強化することができる効果がある。
【０１００】
前記のような接触面２３８および突起部２３９の追加構成によって、前記ブッシュ２３０を押すボディ部２１０の圧入によって形成されたグラウンドは、ハンダ付け方式を使用しなくてもブッシュ２３０の前面がアンテナ収容部３３０に密着配置されて電気的接続の結合を強化することができる。
【０１０１】
本発明の一実施形態に係る、ブッシュ２３０またはアンテナケーブルＣの外部導体Ｃ２の外面にはボディ部２１０が配置される。ボディ部２１０の前段部２１１は、収容口３３３の内側端部まで挿入されてブッシュ２３０を圧着しながらアンテナケーブルＣとアンテナ収容部３３０との結合を強化し、ボディ部２１０の後段部２１３は、アンテナ収容部３３０の外側に収容口３３３と対面配置され、アンテナケーブルＣの被覆を取り囲むように配置される。前記ボディ部２１０は、アンテナケーブルＣの互いに異なる外径を有する外部導体Ｃ２（またはブッシュ２３０の外周面）と被覆Ｃ３にそれぞれ対応する形状で実現され、アンテナケーブルＣ全体を固定し、硬い結束を補助することができる。
【０１０２】
図１０は、本発明の多様な実施形態に係る、アンテナケーブルＣとアンテナフィルタ部３００とが結合した斜視図である。
【０１０３】
図１０に示されるように、アンテナケーブルＣがアンテナ収容部３３０に挿入されて結合すると、アンテナケーブルＣの心線Ｃ１は収容空間３３１内に配置され、収容空間３３１の上面に配置された接触部材３３７と接触して電気的接点を形成することができる。また、ブッシュは、ボディ部２１０の圧着によってアンテナ収容部３３０と強化された接触により優れたグラウンドを形成することができる。
【０１０４】
従来技術とは異なり、本発明に係るアンテナケーブル連結モジュール１０は、アンテナケーブルＣの簡単な連結作業によりアンテナフィルタと連結可能なアンテナ収容部３３０を備え、前記アンテナケーブルＣの外面にアンテナ収容部３３０との結合を強化可能な結合要素を含んで実現した。これによって、通常の作業者も手軽にアンテナにケーブルを連結可能で生産性を向上させることができ、ハンダ付けの使用を著しく減少させることにより、製品費を節減し、不良発生率を減少させることができる効果がある。
【０１０５】
以下、上記の多様な実施形態によりアンテナケーブル連結モジュールの製造方法について説明する。
【０１０６】
図１１は、本発明の多様な実施形態に係るアンテナケーブル連結モジュール１０の製造方法について示すフロー図である。
【０１０７】
以下、製造方法で用いられるアンテナケーブル連結モジュール１０は、図２によるアンテナケーブル連結モジュールを適用したことを一例として説明する。ただし、これに限定されたものではなく、図６による実施形態に係るアンテナケーブル連結モジュールも本製造方法に適用可能である。
【０１０８】
図１１に示されるように、アンテナケーブル連結モジュール１０の製造方法は、工程１０により、優先的にアンテナフィルタ部３００と結合するアンテナケーブルＣを外部から供給する工程を進行させることができる。
【０１０９】
ただし、作業者は、予めアンテナケーブルＣの端部を一部被覆して、アンテナフィルタ部３００と連結されるアンテナケーブルＣを準備するとよい。例えば、アンテナケーブルＣは、中心に心線Ｃ１のような内部導体が外部に露出可能に形成し、前記心線Ｃ１の外周面に沿って、絶縁体および外部導体の一部が外部に露出可能にアンテナケーブルＣを形成して予め準備することができる。
【０１１０】
この後、工程３０により、一部被覆されたアンテナケーブルＣの外周面にボディ部１１０とブッシュ１３０とを挟んで配置することができる（図２参照）。この時、相対的に内径および外径の大きいボディ部１１０をアンテナケーブルＣに先に挟んで配置し、この後、ブッシュ１３０をアンテナケーブルＣの端部領域に挟んで配置する工程を進行させることができる。
【０１１１】
本発明の一実施形態に係る、前記ボディ部１１０は、アンテナケーブルＣが挿入されて通過可能なホールを有する円筒状に構成され、互いに異なる大きさの外径厚さを有する前段部１１１および後段部１１３を形成することができる。前記ボディ部１１０の前段部１１１は、実質的に収容口３３３に挿入されて結合される領域であってもよいし、前記ボディ部１１０の後段部１１３は、前記収容口３３３と同一の大きさを有する外周面を備え、アンテナケーブルＣとアンテナ収容部３３０とが結合時に互いに対面配置される領域であってもよい。
【０１１２】
また、本発明の一実施形態により、前記ブッシュ１３０は、アンテナケーブルＣの端部が挿入して通過可能なホールを有する円筒状に構成され、互いに異なる傾斜を有する前段部１３１および後段部１３３を形成することができる。例えば、前記ブッシュ１３０の前段部１３１および後段部１３３は、実質的に収容口３３３の内側に挿入されて結合を強化する領域であり、前記アンテナケーブルＣおよび前記ボディ部１１０の間に配置される。
【０１１３】
この後、工程５０、７０により、前記アンテナケーブルＣの端部に前記ブッシュ１３０を結合する工程と、アンテナフィルタ部３００の外側に設けられたアンテナ収容部３３０の内部に前記ブッシュ１３０が結合されたアンテナケーブルＣを挿入する工程とを進行させることができる。
【０１１４】
作業者は、前記アンテナケーブルＣの心線Ｃ１が始まる領域から外部導体Ｃ２が配置された領域にブッシュ１３０を挟み結合する工程を行うとよい。外部導体Ｃ２の外周面に挟まれたブッシュ１３０は、前段部１３１が心線Ｃ１の始まる領域に配置され、後段部１３３が被覆Ｃ３に向かうように配置される。
【０１１５】
本発明の一実施形態に係る、前記ブッシュ１３０の前段部１３１は、第１方向（アンテナケーブルの挿入方向）に開口するように配置された少なくとも１つのスリット１３５を含むことができる。前記スリット１３５は、アンテナケーブルＣの外部導体Ｃ２の外面を取り囲むように、所定の間隔によって複数個が形成される。したがって、前記ブッシュ１３１が挟み結合されたアンテナケーブルＣは、この後、前記ボディ部１１０が収容口３３３に挿入されて結合される圧着過程で前記それぞれのスリット１３５の内部間隔が減少しながら、前記間隔を元の状態に回復しようとするテンションにより、アンテナケーブルＣとアンテナ収容部３３０との結合を強化することができる。
【０１１６】
本発明の一実施形態に係る、ブッシュ１３０の後段部１３３の傾斜面に沿って、前段から後段へいくほどブッシュ１３０の内径は小さくなり、前記ブッシュ１３０がアンテナ収容部３３０と結合する場合、それ以上外側に押されず、強い結合を維持できるようにする。
【０１１７】
また、前記ブッシュ１３０の前段部１３１は、後段部１３３に比べて相対的に大きい外径を有する閉鎖された曲線を有するように形成される。例えば、前段部１３１は、リング状の構造を有し、前面部には前記ブッシュ１３０の前段部１３１がアンテナ収容部３３０の内側に結合する場合に、グラウンドを形成可能な接触面を配置することができる。本発明に係るブッシュ１３０は、既存の発明より広い面積を含む接触面を備え、グラウンド接触を強化して本発明の電気的連結性能を高く実現することができる。
【０１１８】
前記ブッシュ１３０とアンテナケーブルＣとが結合された後に、工程９０により、作業者は、前記ボディ部１１０がブッシュ１３０の外周面を取り囲みながら前記収容口３３３の内側に加圧して、前記アンテナ収容部と前記ボディ部とを結合する工程を行うとよい。
【０１１９】
本発明の一実施形態に係る、前記ボディ部１１０の前段部１１１は、前記アンテナ収容部３３０の収容口３３３に挿入されて脱着結合で連結されたり、前段部１１１の外面にねじ線が備えられ、収容口３３３の内側に配置されたねじ線によって雌雄結合が行われる。ただし、これは、結合方式の一例に過ぎず、ボディ部１１０の前段部１１１は、前記収容口３３３と互いに結合可能な多様な形状を有することができる。
【０１２０】
前記ボディ部１１０の前段部１１１は、後述するブッシュ１３０の外周面に取り囲むように配置され、後段部１１３の一部は、ブッシュ１３０またはアンテナケーブルＣの被覆Ｃ３の外面に取り囲むように配置される。
【０１２１】
工程９０により、アンテナケーブルＣがアンテナ収容部３３０に挿入されて結合すると、アンテナケーブルＣの心線Ｃ１はアンテナ収容部３３０の収容空間３３１内に配置され、収容空間３３１上に配置された接触部材３３７と接触して電気的接点を形成することができる。
【０１２２】
本発明の一実施形態に係る、前記アンテナ収容部３３０の上面は開口しているため、前記接触部材３３７の一面に配置された心線Ｃ１は、ハンダ付けなどにより作業者が手軽にアンテナケーブルＣとフィルタ領域とを電気的に接続することができる。
【０１２３】
本発明の一実施形態に係る、アンテナケーブル連結モジュール１０の製造方法により、通常の作業者が手軽に作業できるように簡単なアンテナケーブル連結モジュールを構成して、人件費を減少させ、時間を節約する装置を実現することができる。
【０１２４】
また、最小限のソルダーだけでアンテナケーブルを連結可能にして、部品費を節減し、製品の重量を減少させる装置を実現することができる。
【０１２５】
以上で説明した本発明の多様な実施形態のアンテナケーブル連結モジュールは、上述した実施形態および図面によって限定されるものではなく、本発明の技術的範囲内で様々な置換、変形および変更が可能でることは、本発明の属する技術分野における通常の知識を有する者にとって明らかであろう。
【産業上の利用可能性】
【０１２６】
本発明によれば、不良発生率を最小化し、最小限のソルダーだけでアンテナケーブルを連結することにより、ソルダーで消耗する部品費を節減し、製品の重量を減少させるアンテナケーブル連結モジュールを製造することができる。
【符号の説明】
【０１２７】
１１０、２１０：ボディ部
１１１、２１１：ボディ前段部
１１３、２１３：ボディ後段部     
１３０、２３０：ブッシュ
１３１、２３１：ブッシュ前段部
１３３、２３３：ブッシュ後段部
１３５：スリット
３００：アンテナフィルタ部
３１０：フィルタ本体
３３０：アンテナ収容部
３３１：収容空間
３３３：収容口
３３５：収容結合部材
３３７：接触部材
【図１】
2019521470.tif 000003
【図２】
2019521470.tif 000004
【図３】
2019521470.tif 000005
【図４】
2019521470.tif 000006
【図５】
2019521470.tif 000007
【図６】
2019521470.tif 000008
【図７】
2019521470.tif 000009
【図８】
2019521470.tif 000010
【図９】
2019521470.tif 000011
【図１０】
2019521470.tif 000012
【図１１】
2019521470.tif 000013
【国際調査報告】
2019521470.tif 000014
2019521470.tif 000015
2019521470.tif 000016
2019521470.tif 000017